【事件の表示】
　特願２０１４−１９１００６「ソーシャルネットワークの更新におけるメディアオブジェクトの一部分へのリンクのリアルタイムな提供を行う方法、及びコンピューティングデバイス」拒絶査定不服審判事件〔平成２７年　１月　８日出願公開、特開２０１５−　　５３０８、請求項の数（２０）〕について、次のとおり審決する。
【結　論】
　原査定を取り消す。
　本願の発明は、特許すべきものとする。
【理　由】
第１　手続の経緯
　本願は、２０１０年７月１５日（パリ条約による優先権主張２００９年７月３１日、米国）を国際出願日とする特願２０１２−５２２８８１号の一部を、平成２６年９月１９日に新たな特許出願としたものであって、平成２８年３月１４日付けで拒絶査定がなされ（発送日：同月２２日）、これに対して平成２８年５月１１日に審判の請求がなされ、同時に手続補正がなされたものである。
第２　平成２８年５月１１日付けの手続補正（以下、「本件補正」という。）の適否
１．補正の内容
（１）請求項１について
本件補正は、特許請求の範囲の請求項１を、
「【請求項１】
　ユーザがメディアオブジェクトを消費していることをプロセッサによって特定するステップと、
　前記ユーザが、前記メディアオブジェクトを消費している間のある時点で、ソーシャルネットワークの更新を作成したことを前記プロセッサによって特定するステップと、
　前記ソーシャルネットワークの更新に関して、前記プロセッサによってコンテキスト分析を実行するステップと、
　前記コンテキスト分析の結果に基づいて、前記ソーシャルネットワークの更新が前記メディアオブジェクトを参照していることを前記プロセッサによって特定するステップと、
　前記ソーシャルネットワークの更新に、前記時点に対応する前記メディアオブジェクトの部分を参照するリンクを前記プロセッサによって挿入
し、前記リンクが挿入された前記ソーシャルネットワークの更新を前記ユーザと所定の関係を有する他のユーザに通知
を含むことを特徴とする方法。」
とする補正（以下、「補正事項１」という。）を含んでいる。
（２）請求項１２について
　本件補正は、特許請求の範囲の請求項１２を、
「【請求項１２】
　プロセッサと、
　前記プロセッサによる実行のためのプログラムロジックを有形的に記憶するための記録媒体と、を含むコンピューティングデバイスであって、前記記憶されたプログラムロジックは、
　ユーザがメディアオブジェクトを消費していることをプロセッサによって特定するための前記プロセッサによって実行されるメディアオブジェクト特定ロジックと、
　前記ユーザが、前記メディアオブジェクトを消費している間のある時点で、ソーシャルネットワークの更新を作成したことを特定するための前記プロセッサによって実行されるソーシャルネットワーク更新特定ロジックと、
　前記ソーシャルネットワークの更新に関して、コンテキスト分析を実行するための前記プロセッサによって実行される実行ロジックと、
　前記コンテキスト分析の結果に基づいて、前記ソーシャルネットワークの更新が前記メディアオブジェクトを参照していることを特定するための前記プロセッサによって実行される参照特定ロジックと、
　前記ソーシャルネットワークの更新に、前記時点に対応する前記メディアオブジェクトの部分を参照するリンクを挿入
し、前記リンクが挿入された前記ソーシャルネットワークの更新を前記ユーザと所定の関係を有する他のユーザに通知
を含むことを特徴とするコンピューティングデバイス。」
とする補正（以下、「補正事項２」という。）を含んでいる。
２．補正の適否
（１）補正事項１について
　本件補正の補正事項１は、請求項１に記載した発明を特定するために必要な事項である「挿入するステップ」について、主に出願当初明細書の段落【０００２】、段落【００６５】、図４Ｂ等の記載に基づいて、「前記リンクが挿入された前記ソーシャルネットワークの更新を前記ユーザと所定の関係を有する他のユーザに通知」を行うとの限定を付加するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　また、特許法第１７条の２第３項、第４項に違反するところはない。
　そこで、本件補正後の前記請求項１に記載された発明（以下、「補正発明１」という。）が特許法第１７条の２第６項において準用する同法第１２６条第７項の規定に適合するか（特許出願の際独立して特許を受けることができるものであるか）について以下に検討する。
ア　引用例の記載事項・引用発明について
　原査定の拒絶の理由で引用された、特開２００４−３０３２７号公報（以下「引用例」という。）には、図面と共に、次の事項が記載されている。
（ア）　段落【００１１】
「【００１１】
【発明が解決しようとする課題】
本発明の目的は、オンエア中
発言などの情報をユーザ間で共有すること
（イ）　段落【００３５】
「【００３５】
また、前記送信手段は、コンテンツに関連する情報資源を扱う場所の識別情報を参照情報中に含めて配信するようにしてもよい。このような場合、参照情報を受信した端末機器にてコンテンツに関連する情報をさらにＷＷＷサイトで閲覧することが可能となる。さらに、例えば参照しようとしているコンテンツが録画されていなかった場合に、当該コンテンツをストリーミング配信しているサイトを介して視聴したり、あるいは当該コンテンツを収録したＤＶＤなどの記録媒体を物販サイト経由で購入したりすることが可能となる。」
（ウ）　段落【００４９】−【００６３】
「【００４９】
【発明の実施の形態】
以下、図面を参照しながら本発明の実施形態について詳解する。
【００５０】
まず、本発明を電子掲示板システムに適用した場合の実施形態について説明する。
【００５１】
この実施形態において、
各掲示板は特定のテレビ番組についての議論や情報交換を目的として設置され
利用者は掲示板に発言を書き込む際に、発言が参照する番組／シーンを特定するための情報（
テレビ番組の「参照情報」
）を発言内容とともに登録することができ
　　　・・・（中略）・・・
【００５６】
図１には、本実施形態に係る電子掲示板システムの構成を模式的に示している。この
電子掲示板システム
【００５７】
参照番号１００はアプリケーション・サーバであり、ＨＴＴＰ（Ｈｙｐｅｒ　Ｔｅｘｔ　Ｔｒａｎｓｆｅｒ　Ｐｒｏｔｏｃｏｌ）サーバ１２０又はＳＭＴＰ（Ｓｉｍｐｌｅ　Ｍａｉｌ　Ｔｒａｎｓｆｅｒ　Ｐｒｏｔｏｃｏｌ）サーバ１２１からの要求に従い、掲示板機能実現のための各処理を実行する。
【００５８】
アプリケーション・サーバ１００は、
掲示板／発言提示部１０１と、発言検索部１０２と、参照情報符号化部１０３と、放送スケジュール符号化部１０４と、発言書込処理部１０５を備えており
【００５９】
掲示板／発言提示部１０１では、掲示板の情報や発言の内容をテキスト又はＨＴＭＬ（Ｈｙｐｅｒ　Ｔｅｘｔ　Ｍａｒｋｕｐ　Ｌａｎｇｕａｇｅ）形式に整形して利用者へ提示する処理を行な
【００６０】
発言検索部１０２では、掲示板／番組情報データベース１３１から特定の条件にマッチする発言を検索する処理を行な
　　　・・・（中略）・・・
【００６３】
発言書込処理部１０５では、掲示板に発言を書き込むためのフォーム画面を利用者に提示するとともに、併せて参照情報の入力操作を補助するためのスクリプト・コードを利用者側の端末機器に送信する処理を行な
また、提示されたフォーム画面を介して利用者が入力した発言内容および参照情報を掲示板／番組情報データベース１３１に登録する処理を行な
（エ）　段落【００７９】−【００８１】
「【００７９】
図３には、
掲示板／発言提示部１０１によって利用者に提示される画面の構成
通常の電子掲示板システムの場合と同様である
、発言一覧に加えて以下のようなボタン又はリンクを提示する点が通常の掲示板と異な
【００８０】
参照番号３０１は、
参照情報をダウンロードするためのボタン（リンク）
をクリックすることで、参照情報符号化部１０３を介して所定の書式に整形された参照情報がダウンロードされる
【００８１】
参照番号３０２は、掲示板に発言を書き込むための画面を呼び出すためのボタン（リンク）である。このボタンをクリックすることで、発言書込処理部１０５を介して発言を書き込みためのフォーム画面が利用者に提示される。」
（オ）　段落【０１０９】
「【０１０９】
図７に示した参照情報の内容に加えて、関連するＷＷＷサイト（例えば、投稿者のホームページや、参照しようとする
番組あるいはその放送局の公式ページ、該当する番組のストリーミング配信を行っているサイト、ＤＶＤなどの物販を行なっているサイト）のＵＲＬ
　
（カ）　段落【０１２５】−【０１３９】
「【０１２５】
図１０には、
発言書込処理部１０５における処理動作
【０１２６】
まず、
書き込もうとしている発言に参照情報が付加されているかどうか、すなわち、
画面中でチェック・ボックス９０２において参照情報を併せて登録することが選択されているかどうかを判別
ステップＳ３１
付加されていれば次ステップＳ３２へ、そうでなければステップＳ３７の処理へ遷移
【０１２７】
ステップＳ３２では、セッション情報より、利用者の端末機器が設置されている地域の地域コードを取得
【０１２８】
次いで、
掲示板テーブル２０１を参照して、書き込み先である掲示板が対象としている番組シリーズのＩＤを取得
（ステップＳ３３）
【０１２９】
次いで、
番組テーブル２０５、放送スケジュール・テーブル２０６、並びに局−地域関連テーブル２０７を参照して、先に取得した地域コード、番組シリーズＩＤ、及び、
画面のプルダウン・メニュー９０３で指定した
放送日
を基に、番組の放送回を特定し、番組テーブル２０５中の対応するレコードのＩＤを取得
（ステップＳ３４）
【０１３０】
ステップＳ３５では、ステップＳ３４において適切な番組が見つかったかどうかを判定
適切な番組が見つからなかった場合には、エラー処理を行な
【０１３１】
次いで、図９に示した
画面上の入力フィールド９０４に入力された参照位置及びステップＳ３４で取得された番組ＩＤについて、参照情報テーブル２０４に登録
（ステップＳ３６）
【０１３２】
そして、
投稿者のＩＤ、書き込もうとしている掲示板のＩＤ、現在時刻（投稿日）、
画面上のテキスト入力フィールド９０１で書き込まれた発言内容、並びにステップＳ３６で参照情報テーブル２０４に登録されたレコードのＩＤ（ステップＳ３１より遷移されてきた場合はＮＵＬＬ）について、発言テーブル２０３に登録
（ステップＳ３７）
【０１３３】
前述したように、
発言の投稿に際して利用者は
画面を介して参照情報を入力することになるが、参照しようとする番組の放送日やシーンの位置を手動で入力するのは煩雑である
で、
画面とともに端末機器が解釈／実行できるスクリプト・コードを送信し、フォームの自動入力を行な
【０１３４】
図１１には、この
スクリプト・コードにより実現される処理動作
【０１３５】
まず、
その端末機器で直前に視聴していた番組／シーンについて、放送日、録画開始時刻、シーンの位置（番組先頭からの相対位置）を取得
（ステップＳ４１）
【０１３６】
次いで、
ステップＳ４１で取得した放送日について、サーバ側に記録されていた番組開始時刻を取得
（ステップＳ４２）
【０１３７】
次いで、
ステップＳ４２において指定した放送日での番組開始時刻を取得できたかどうかをチェック
（ステップＳ４３）
番組開始時刻を取得できなかった場合、すなわち、指定日における放送スケジュールがなかった場合には、スクリプト・コードの実行を終了し、利用者自身にフォームのデータを入力させ
【０１３８】
次いで、
先に取得した番組開始時刻と録画開始時刻の差分を計算し、その差分だけシーン位置を補正
（ステップＳ４４）
これによって、端末機器側での番組の先頭から録画を開始していなかった場合でも、参照位置がずれることなく正しい値を入力することが可能とな
【０１３９】
次いで、
参照情報入力用のフォーム９０２〜９０４に対応するフォーム・オブジェクトを取得し、放送日をフォーム９０３に、シーン位置を９０４に設定
（ステップＳ４５）
また、チェック・ボックス９０２を選択された状態に設定する
（キ）　段落【０１４７】−【０１４８】
「【０１４７】
また、
主にＨＴＴＰサーバ１２０を介し
ＷＷＷ上の掲示板
、ＳＭＴＰサーバ１２１を介すことで電子メールとして発言／参照情報／放送スケジュールなどを利用者に配信するようにしてもよ
この場合、発言書込処理部１０５により発言／参照情報が登録された時点で、発言内容を本文、参照情報符号化部１０３により整形された参照情報を添付ファイルとする電子メールを、ＳＭＴＰサーバ１２１を介して事前に登録された利用者に対し配信するようにすればよ
【０１４８】
また、
掲示板に限らず映像・音声コンテンツを参照しながら情報提供を行なうようなシステム一般に応用することが可能である
　これらの記載から、引用例には、次の発明（以下、「引用発明」という。）が記載されていると認められる。
　
「各掲示板は特定のテレビ番組についての議論や情報交換を目的として設置され、
　利用者は掲示板に発言を書き込む際に、発言が参照する番組／シーンを特定するための情報（テレビ番組の「参照情報」）を発言内容とともに登録することができ、
　電子掲示板システムのアプリケーション・サーバ１００は、掲示板／発言提示部１０１と、発言検索部１０２と、参照情報符号化部１０３と、放送スケジュール符号化部１０４と、発言書込処理部１０５を備えており、
　掲示板／発言提示部１０１では、掲示板の情報や発言の内容をテキスト又はＨＴＭＬ（Ｈｙｐｅｒ　Ｔｅｘｔ　Ｍａｒｋｕｐ　Ｌａｎｇｕａｇｅ）形式に整形して利用者へ提示する処理を行ない、
　発言検索部１０２では、掲示板／番組情報データベース１３１から特定の条件にマッチする発言を検索する処理を行ない、
　発言書込処理部１０５では、掲示板に発言を書き込むためのフォーム画面を利用者に提示するとともに、併せて参照情報の入力操作を補助するためのスクリプト・コードを利用者側の端末機器に送信する処理を行ない、また、提示されたフォーム画面を介して利用者が入力した発言内容および参照情報を掲示板／番組情報データベース１３１に登録する処理を行ない、
　掲示板／発言提示部１０１によって利用者に提示される画面の構成において、通常の電子掲示板システムの場合と同様である発言一覧に加えて、以下のようなボタン又はリンクを提示する点が通常の掲示板と異なっており、
　参照情報をダウンロードするためのボタン（リンク）をクリックすることで、参照情報符号化部１０３を介して所定の書式に整形された参照情報がダウンロードされ、
　発言書込処理部１０５における処理動作において、
　書き込もうとしている発言に参照情報が付加されているかどうか、すなわち、画面中でチェック・ボックス９０２において参照情報を併せて登録することが選択されているかどうかを判別し（ステップＳ３１）、
　付加されていれば次ステップＳ３２へ、そうでなければステップＳ３７の処理へ遷移し、
　ステップＳ３２では、セッション情報より、利用者の端末機器が設置されている地域の地域コードを取得し、
　掲示板テーブル２０１を参照して、書き込み先である掲示板が対象としている番組シリーズのＩＤを取得し（ステップＳ３３）、
　番組テーブル２０５、放送スケジュール・テーブル２０６、並びに局−地域関連テーブル２０７を参照して、先に取得した地域コード、番組シリーズＩＤ、及び、画面のプルダウン・メニュー９０３で指定した放送日を基に、番組の放送回を特定し、番組テーブル２０５中の対応するレコードのＩＤを取得し（ステップＳ３４）、
　ステップＳ３５では、ステップＳ３４において適切な番組が見つかったかどうかを判定し、適切な番組が見つからなかった場合には、エラー処理を行ない、
　画面上の入力フィールド９０４に入力された参照位置及びステップＳ３４で取得された番組ＩＤについて、参照情報テーブル２０４に登録し（ステップＳ３６）、
　投稿者のＩＤ、書き込もうとしている掲示板のＩＤ、現在時刻（投稿日）、画面上のテキスト入力フィールド９０１で書き込まれた発言内容、並びにステップＳ３６で参照情報テーブル２０４に登録されたレコードのＩＤ（ステップＳ３１より遷移されてきた場合はＮＵＬＬ）について、発言テーブル２０３に登録し（ステップＳ３７）、
　発言の投稿に際して利用者は、画面を介して参照情報を入力することになるが、参照しようとする番組の放送日やシーンの位置を手動で入力するのは煩雑であるので、画面とともに端末機器が解釈／実行できるスクリプト・コードを送信し、フォームの自動入力を行なうものであって、
　スクリプト・コードにより実現される処理動作において、
　その端末機器で直前に視聴していた番組／シーンについて、放送日、録画開始時刻、シーンの位置（番組先頭からの相対位置）を取得し（ステップＳ４１）、
　ステップＳ４１で取得した放送日について、サーバ側に記録されていた番組開始時刻を取得し（ステップＳ４２）、
　ステップＳ４２において指定した放送日での番組開始時刻を取得できたかどうかをチェックし（ステップＳ４３）、
　番組開始時刻を取得できなかった場合、すなわち、指定日における放送スケジュールがなかった場合には、スクリプト・コードの実行を終了し、利用者自身にフォームのデータを入力させ、
　先に取得した番組開始時刻と録画開始時刻の差分を計算し、その差分だけシーン位置を補正し（ステップＳ４４）、これによって、端末機器側での番組の先頭から録画を開始していなかった場合でも、参照位置がずれることなく正しい値を入力することが可能となり、
　参照情報入力用のフォーム９０２〜９０４に対応するフォーム・オブジェクトを取得し、放送日をフォーム９０３に、シーン位置を９０４に設定し（ステップＳ４５）、また、チェック・ボックス９０２を選択された状態に設定し、
　また、主にＨＴＴＰサーバ１２０を介したＷＷＷ上の掲示板に代えて、ＳＭＴＰサーバ１２１を介すことで電子メールとして発言／参照情報／放送スケジュールなどを利用者に配信するようにしてもよく、この場合、発言書込処理部１０５により発言／参照情報が登録された時点で、発言内容を本文、参照情報符号化部１０３により整形された参照情報を添付ファイルとする電子メールを、ＳＭＴＰサーバ１２１を介して事前に登録された利用者に対し配信するようにすればよく、
　また、掲示板に限らず映像・音声コンテンツを参照しながら情報提供を行なうようなシステム一般に応用することが可能である、
　方法。」　
　
イ　対比
　補正発明１と引用発明とを対比する。
　
（ア）　引用発明の「アプリケーション・サーバ１００」と「利用者側の端末機器」からなる「電子掲示板システム」の全体は、補正発明１の「ソーシャル・ネットワーク」に相当する。
　引用発明の「電子掲示板」に利用者が書き込む「発言」は、「ソーシャル・ネットワークの更新」に相当する。
　引用発明の「アプリケーション・サーバ１００」の「発言書込処理部１０５」は、「提示されたフォーム画面を介して利用者が入力した発言内容および参照情報を掲示板／番組情報データベース１３１に登録する処理を行な」うから、発言の登録処理を始める前提として、補正発明１の「
前記ユーザが、前記メディアオブジェクトを消費している間の
　
（イ）　引用発明の「アプリケーション・サーバ１００」の「発言書込処理部１０５」が、「ステップＳ３２では、セッション情報より、利用者の端末機器が設置されている地域の地域コードを取得し」ていることは、「利用者の端末機器が設置されている地域」が利用者の背景や状況すなわち「コンテキスト」といえるから、補正発明１の「前記ソーシャルネットワークの更新に関して、前記プロセッサによってコンテキスト分析を実行するステップ」に相当するといえる。
（ウ）　引用発明の「アプリケーション・サーバ１００」の「発言書込処理部１０５」が、「番組テーブル２０５、放送スケジュール・テーブル２０６、並びに局−地域関連テーブル２０７を参照して、
先に取得した地域コード
を基に
番組テーブル２０５中の対応するレコードのＩＤを取得し
（エ）　引用発明の「掲示板／
発言提示部１０１によって利用者に提示される画面の構成において
リンク
前記
し、前記リンクが挿入された前記ソーシャルネットワークの更新を前記ユーザと所定の関係を有する他のユーザに通知
ある
　したがって、両者の一致点、相違点は以下のとおりである。
　
［一致点］
「ある時点で、ソーシャルネットワークの更新を作成したことを前記プロセッサによって特定するステップと、
　前記ソーシャルネットワークの更新に関して、前記プロセッサによってコンテキスト分析を実行するステップと、
　前記コンテキスト分析の結果に基づいて、前記ソーシャルネットワークの更新がメディアオブジェクトを参照していることを前記プロセッサによって特定するステップと、
　前記ソーシャルネットワークの更新に、ある時点に対応する前記メディアオブジェクトの部分を参照するリンクを前記プロセッサによって挿入するステップと、
を含むことを特徴とする方法」である点。
　
［相違点１］
　補正発明１では、「ユーザがメディアオブジェクトを消費していることをプロセッサによって特定するステップ」を含むのに対して、引用発明では、アプリケーションサーバの発言書込処理部１０５から、フォーム画面とフォームの自動入力用スクリプトとを利用者の端末機器に送信し、端末機器側で発言投稿時にスクリプトを実行して「その端末機器で
直前に視聴していた
消費していること
　
［相違点２］
　補正発明１では、「前記ユーザが、前記メディアオブジェクトを消費している間のある時点で」、ソーシャルネットワークの更新を作成したことを前記プロセッサによって特定するステップを備えるのに対して、引用発明では、「直前に視聴していた番組／シーンについて」、情報を取得するものであって、「前記ユーザが、前記メディアオブジェクトを
消費している間のある時点で
［相違点３］
　補正発明１では、「前記ソーシャルネットワークの更新に、
前記時点に
消費している間のある時点で
前記
［相違点４］
　補正発明１では、「前記リンクが挿入された前記ソーシャルネットワークの更新を前記ユーザと所定の関係を有する他のユーザに通知するステップ」を有するのに対して、引用発明では、「掲示板／番組情報データベース１３１から特定の条件にマッチする発言を検索する」もの、すなわち利用者は自発的に情報を検索して引き出すものであって、「前記リンクが挿入された前記ソーシャルネットワークの更新を前記ユーザと所定の関係を有する他のユーザに通知するステップ」は有していない点。
ウ　判断
（ア）　上記［相違点１］−［相違点３］について
　引用発明は、「直前に視聴していた番組／シーン」、すなわち、「消費していたメディアオブジェクトについて」、シーンの位置等を取得して、アプリケーション・サーバ１００の発言書込処理部１０５に登録するものであって、「ユーザがメディアオブジェクトを
消費していること
消費している間のある時点で
　また、原査定の拒絶の理由に引用された引用文献、前置報告書で引用された文献のいずれにも、上記［相違点１］〜［相違点３］に係る構成を採用することが容易であったことを根拠付ける記載は見当たらない。
　むしろ、引用発明は、「その端末機器で
直前に視聴していた
コンテンツを参照しながら
　ほかに、引用発明において、上記［相違点１］〜［相違点３］に係る補正発明１の構成を採用することが、当業者が容易に想到しえたことというべき理由は見当たらない。
（イ）　上記［相違点４］について
　引用発明は、「前記リンクが挿入された前記ソーシャルネットワークの更新を前記ユーザと所定の関係を有する他のユーザに通知するステップ」を備えていない。
　引用発明は、「なお…
ＷＷＷ上の掲示板に代えて
電子メールとして
利用者に配信するようにしてもよく
参照情報を添付ファイルとする電子メールを
事前に登録された利用者に対し配信する
　しかし、引用発明は、「
各掲示板は特定のテレビ番組についての議論や情報交換を目的として設置され
前記ユーザと所定の関係を有する他のユーザに
自身のフォロワーに
　一方、原査定の拒絶の理由に引用された「特開２００２−２７９０２６号公報」には、特に段落【００３９】、段落【００７９】−【００９０】を参照すると、「ホームページ、チャット、掲示板、メーリングリストなどで」、メッセージの中に、「放送番組に対するリンクを張るための情報」（「番組タグ」）を付加する記載がある。
　原査定に引用された「特開２００５−１６７３４５号公報」には、特に段落【０００２】、【００２０】を参照すると、インスタントメッセージやチャットを利用して、「放送番組に関連して設定されたコミュニケーションスペース」で、ユーザのコミュニケーションを行う記載がある。
　原査定に引用された「特開２００２−３３９６８号公報」には、特に段落【００９８】−【０１０３】を参照すると、視聴中の番組に対応した「番組タグ」を含んだメッセージを、「Ｗｅｂページ・メール・ＢＢＳ・チャット等によって発信する」記載がある。
　さらに、前置報告書に引用された、「特開２００８−１４６２４６号公報」（特に段落【００２５】参照。）、「特開２００８−２６２４６６号公報」（特に段落【０００４】、【００９７】参照。）、「特開２００８−１８１８９号公報」（特に段落【００２３】−【００２４】参照。）には、それぞれ、あるユーザがブログ等のデータを更新したとき、そのユーザと所定の関係を有する他のユーザに通知する周知技術の記載がある。
　しかし、これら文献のいずれにも、「各掲示板は特定のテレビ番組についての議論や情報交換を目的として設置され」、利用者が自発的に発言を検索するような、引用発明の電子掲示板システムに、「前記リンクが挿入された前記ソーシャルネットワークの更新を前記ユーザと所定の関係を有する他のユーザ」に通知するステップを付加することで、上記［相違点４］に係る構成を有するよう構成することが容易であったことを根拠付ける記載は見当たらない。
　ほかに、引用発明において、上記［相違点４］に係る補正発明１の構成を採用することが、当業者が容易に想到しえたことというべき理由は見当たらない。
（ウ）　まとめ
　したがって、補正発明１は、引用発明に基づいて、当業者が容易に発明をすることができたとはいえない。
　ほかに、補正発明１を特許出願の際独立して特許を受けることができないものというべき理由を発見しない。
　よって、本件補正の補正事項１は、特許法第１７条の２第６項において準用する同法第１２６条第７項の規定に適合する。
（２）補正事項２について  
　補正事項２について、本件補正後の前記請求項１２に記載された発明（以下、「補正発明１２」という。）は、請求項１に係る補正事項１と同様の特許請求の範囲の限定的な減縮を目的とする補正であって、実質的に請求項１の「方法」を、「デバイス」として記載したものであるから、請求項１と同様の理由により、当業者が引用発明に基づいて容易に発明をすることができたものではない。
　よって、補正事項２についても、補正事項１と同様に、特許法第１７条の２第３項ないし第６項に違反するところはない。
３．むすび
　本件補正は、特許法第１７条の２第３項ないし第６項の規定に適合する。
第３　本願発明
　本件補正は上記のとおり、特許法第１７条の２第３項ないし第６項の規定に適合するから、本願の請求項１−２０に係る発明は、本件補正により補正された特許請求の範囲の請求項１−２０に記載された事項により特定されるとおりのものである。
　そして、補正発明１及び補正発明１２は、上記第２の２．のとおり、当業者が引用発明に基づいて容易に発明をすることができたものではない。
　また、補正発明１又は補正発明１２を直接又は間接的に引用する補正発明２−１１、１３−２０は、補正発明１又は補正発明１２に係る発明をさらに限定した発明であるから、当業者が引用発明に基づいて容易に発明をすることができたものではない。
　したがって、本願については、原査定の拒絶理由を検討してもその理由によって拒絶すべきものとすることはできない。
　また、他に本願を拒絶すべき理由を発見しない。 
　よって、結論のとおり審決する。